(57)【要約】【課題】簡素な構成で、放出口からカニューラ等の装着具までの医療用ガスの供給状態を確認できるようにする。【解決手段】医療用ガス供給装置は、医療用ガスを供給するガス供給部と、患者が装着する装着具に連通する管３０１が着脱され、ガス供給部から供給された医療用ガスを放出する放出口１３２ａを有する管取付部１３２と、を備える。管取付部１３２は、管３０１が離脱すると、放出口１３２ａから放出される医療用ガスの流れを利用して吹鳴する吹鳴部１３６を有する。【選択図】図５
2018130285.tif 000002
【特許請求の範囲】
【請求項１】
医療用ガスを供給するガス供給部と、
患者が装着する装着具に連通する管が着脱され、前記ガス供給部から供給された前記医療用ガスを放出する放出口を有する管取付部と、を備え、
前記管取付部は、前記管が離脱すると、前記放出口から放出される前記医療用ガスの流れを利用して吹鳴する吹鳴部を有する、
医療用ガス供給装置。
【請求項２】
前記管取付部は管状であり、
前記吹鳴部は、前記管取付部の側部に設けられた笛孔である、
請求項１に記載の医療用ガス供給装置。
【請求項３】
前記笛孔は、前記管が前記管取付部に装着されると該管の内面で覆われるまたは塞がれる位置に設けられている、
請求項２に記載の医療用ガス供給装置。
【請求項４】
前記管取付部は、返し部を有し、
前記笛孔は、前記返し部に設けられている、
請求項２または３に記載の医療用ガス供給装置。
【請求項５】
前記吹鳴部は、前記管取付部における軸方向に沿って複数設けられている、
請求項１ないし４のいずれかに記載の医療用ガス供給装置。
【請求項６】
前記吹鳴部は、前記管取付部に複数設けられ、互いに異なる周波数で吹鳴する、
請求項１ないし５のいずれかに記載の医療用ガス供給装置。
【請求項７】
高濃度酸素を生成する高濃度酸素生成部を有し、
前記ガス供給部は、前記高濃度酸素生成部により生成された高濃度酸素を供給する、
請求項１から６のいずれかに記載の医療用ガス供給装置。
【請求項８】
医療用ガス供給装置における医療用ガスの放出口と、前記医療用ガスの提供を受ける患者が装着する装着具との間に介在されるアタッチメントであって、
前記装着具に連通する管に着脱自在に取り付けられる管取付部を備え、
前記管取付部は、前記管が離脱すると、前記医療用ガスの流れを利用して吹鳴する吹鳴部を有する、
医療用ガス供給装置のアタッチメント。
【請求項９】
前記管取付部は管状であり、
前記吹鳴部は、前記管取付部の側面に設けられた笛孔である、
請求項８に記載の医療用ガス供給装置のアタッチメント。
【発明の詳細な説明】
【技術分野】
【０００１】
本発明は、医療用ガス供給装置および医療用ガス供給装置のアタッチメントに関する。
【背景技術】
【０００２】
医療用ガスを患者に供給する医療用ガス供給装置として、例えば、呼吸器疾患の患者が鼻腔カニューラや酸素マスク等の装着具を用いて酸素を吸入するための酸素供給装置の一種である、酸素濃縮器が知られている（例えば特許文献１参照）。
【０００３】
酸素濃縮器は、フィルタおよび吸気タンクを通して取り込んだ室内の空気をコンプレッサにより圧縮する。酸素濃縮器は、この圧縮空気をシーブベッド（吸着塔）を複数回通過させることにより吸着塔で窒素を吸着し、圧縮空気から高濃度の酸素を生成する。吸着塔は、加圧時に窒素を吸着し減圧時に窒素を脱着する性質を持つ吸着材（例えば、ゼオライト）が充填されている。生成された高濃度酸素は、使用時に患者が装着する上述した装着具を介して患者体内に供給される。
【０００４】
患者が装着する装着具の内、特に鼻腔カニューラ（以下、単にカニューラと呼ぶ。）は、使用者の分泌物等が付きやすいので、頻繁に交換される。このため、酸素濃縮器は、カニューラの取り付けおよび取り外しが簡単にできるようになっているものが多い。具体的には、酸素濃縮器へのカニューラの取り付けは、酸素濃縮器に突設された酸素の放出口（酸素出口）を有する管取付部に、カニューラのコネクタを差し込むことで行われる。カニューラのコネクタは、可撓性を有する構成とされており、かつ、カニューラのチューブ部分よりも硬質及び又は肉厚とされている。これにより、コネクタは、酸素濃縮器の酸素出口に差し込まれたときに、管取付部にしっかりと嵌着するようになっている。
【先行技術文献】
【特許文献】
【０００５】
【特許文献１】特開２００６−２６３４４１号公報
【発明の概要】
【発明が解決しようとする課題】
【０００６】
上述したように、カニューラの交換は頻繁に行われるために、カニューラの酸素濃縮器への取り付けは、カニューラを酸素濃縮器への酸素出口に差し込むといった、簡単な操作で行うことができるようになっている。
【０００７】
他方、このような酸素濃縮器では、酸素濃縮器の使用中に不用意な力が加わることで、カニューラが酸素濃縮器から外れる場合がある。また、カニューラのコネクタが管取付部の奥側までしっかりと挿入されていない場合には、コネクタと管取付部との間で隙間が生じ、かかる隙間から高濃度酸素が漏れやすくなる。
【０００８】
このような酸素漏れの問題に対処するため、カニューラに流量を検知するセンサを設けることも考えられるが、消耗品であり頻繁に交換されるカニューラにセンサを設けることは、コスト等の点で好ましくない。
【０００９】
本発明の目的は、簡素な構成で、放出口からカニューラ等の装着具までの医療用ガスの供給状態を確認することを可能とした、医療用ガス供給装置および医療用ガス供給装置のアタッチメントを提供することである。
【課題を解決するための手段】
【００１０】
本発明に係る医療用ガス供給装置は、
医療用ガスを供給するガス供給部と、
患者が装着する装着具に連通する管が着脱され、前記ガス供給部から供給された前記医療用ガスを放出する放出口を有する管取付部と、を備え、
前記管取付部は、前記管が離脱すると、前記放出口から放出される前記医療用ガスの流れを利用して吹鳴する吹鳴部を有する。
【００１１】
本発明に係る医療用ガス供給装置のアタッチメントは、
医療用ガス供給装置における医療用ガスの放出口と、前記医療用ガスの提供を受ける患者が装着する装着具との間に介在されるアタッチメントであって、
前記装着具に連通する管に着脱自在に取り付けられる管取付部を備え、
前記管取付部は、前記管が離脱すると、前記医療用ガスの流れを利用して吹鳴する吹鳴部を有する。
【発明の効果】
【００１２】
本発明によれば、簡素な構成で、放出口からカニューラ等の装着具までの医療用ガスの供給状態を確認することができる。
【図面の簡単な説明】
【００１３】
【図１】実施の形態に係る酸素濃縮器の概略構成を示す図である。
【図２】酸素濃縮器におけるトップケースの構成を示す図である。
【図３】酸素濃縮器におけるトップケースの構成を示す図である。
【図４】酸素濃縮器における酸素出口部の構成を示す断面図である。
【図５】酸素出口部のカニューラ取付部にカニューラが取り付けられた状態を示す断面図である。
【図６】カニューラ取付部の他の構成例を説明する図である。
【図７】実施の形態に係る酸素濃縮器のアタッチメントの構成を説明するための一部切り欠き断面図であり、図７Ａはカニューラの鼻プロング側を示す図、図７Ｂはアタッチメントにカニューラおよび延長管が取り付けられた状態を示す拡大断面図である。
【発明を実施するための形態】
【００１４】
以下、本発明の実施の形態について、図面を参照して詳細に説明する。
【００１５】
［１］医療用ガス供給装置（酸素濃縮器）の概略構成
図１に、医療用ガス供給装置としての酸素濃縮器１の概略構成を示す。本実施の形態の酸素濃縮器１は、ＰＳＡ（Pressure Swing Adsorption）式の装置であり、空気取入部１０、空気圧縮部２０、ＰＳＡ部３０、酸素貯留部４０、及び酸素供給部５０を備えている。
【００１６】
酸素濃縮器１において、空気取入部１０から導入された原料空気は、空気圧縮部２０で圧縮されて圧縮空気となる。かかる圧縮空気は、高濃度酸素生成部であるＰＳＡ部３０に送出される。
【００１７】
ＰＳＡ部３０は、酸素より窒素を早く吸着する性質を有するゼオライト等の吸着剤が充填された２本のシーブベッド（吸着塔）３３Ａ、３３Ｂを有している。シーブベッド３３Ａ、３３Ｂに圧縮空気が送り込まれて加圧状態になると、窒素及び水分が吸着されて酸素だけが通過し、高濃度酸素が生成される。一方、窒素を吸着したシーブベッド３３Ａ、３３Ｂが減圧状態（例えば大気圧）に戻されると、吸着していた窒素が脱離して放出され、シーブベッド３３Ａ、３３Ｂの吸着能力が再生される。すなわち、ＰＳＡ部３０において、２本のシーブベッド３３Ａ、３３Ｂで交互に加圧減圧を繰り返すことにより、連続して高濃度酸素を生成することができる。
【００１８】
ＰＳＡ部３０で生成された高濃度酸素は、一旦酸素貯留部４０の製品タンク４１に貯留された後、圧力調整部（圧力レギュレータ）４２により一定圧力に調整される。そして、高濃度酸素は、ガス供給部である酸素供給部５０から放出され、酸素濃縮器１に接続されたカニューラや酸素マスク等の装着具（以下、カニューラ等という。）を介して患者体内に供給される。
【００１９】
本実施の形態では、酸素供給部５０は、流量調整器５１を備えた流量可変方式のものである。流量調整器５１は、開度を調節されるように構成されたバルブを有する。本実施の形態では、ユーザが流量調整器５１のバルブの開度を設定することによって、酸素濃縮器１から患者に供給される酸素ガスの流量を変えることができる。
【００２０】
［２］カニューラ等の取付構造
次に、本実施の形態におけるカニューラ等の取付構造について、図２以下を参照して説明する。以下は、酸素濃縮器１にカニューラ３００を取り付ける場合について例示する。
【００２１】
図２および図３は、酸素濃縮器１のトップケースの構成を示す斜視図である。図４は、酸素出口部の構成を示す断面図である。図５は、酸素出口部にカニューラが取り付けられた状態を示す断面図である。
【００２２】
図２に示すように、酸素濃縮器１は、本体ケース２００と、トップケース１００とを有する。トップケース１００は、本体ケース２００の上部に取り付けられる。本体ケース２００には、図１で説明した、空気取入部１０、空気圧縮部２０、ＰＳＡ部３０、酸素貯留部４０および酸素供給部５０が収容される。
【００２３】
トップケース１００には、酸素濃縮器１を持ち運ぶための取っ手１１０、表示操作パネル１２０および酸素出口部１３０が設けられている。表示操作パネル１２０には、バッテリ残量やその他の酸素濃縮器１の動作状態を表示するための表示部と、酸素濃縮器１のオンオフの操作や酸素流量等を設定するための操作部と、が設けられている。
【００２４】
酸素出口部１３０は、酸素供給部５０（図１）に連通し高濃度酸素を酸素出口部１３０まで案内する案内管１３１と、案内管１３１からＴ字状に分岐し、カニューラ３００を取り付けるための管取付部としてのカニューラ取付部１３２と、を有する。カニューラ取付部１３２は、先端に行くに従って細くなる管状の形状であり、カニューラ３００が挿抜自在に取り付けられる。
【００２５】
また、案内管１３１は、酸素濃縮器１のトップケース１００に回転自在に軸支されており、これにより、カニューラ取付部１３２も案内管１３１と一体に回転自在とされている。図２は、カニューラ取付部１３２が傾いた回転位置にある状態を示し、図３は、カニューラ取付部１３２が直立した回転位置にある状態を示す。このようにカニューラ取付部１３２が回転可能な構成とされることにより、カニューラ３００を装着した患者の動きや位置に追従してカニューラ取付部１３２が回転する。ここで、カニューラ３００に無理な力が掛かった場合に、後述するチューブ３０２が折れ曲がって、酸素濃縮器１で生成された高濃度酸素が患者に供給されなくなる等の不具合を防止することができる。
【００２６】
図４は、酸素出口部１３０の断面図である。案内管１３１の一端側は酸素供給部５０（図１）に連通しており、他端側は閉塞されている。カニューラ取付部１３２は、案内管１３１からＴ字状に分岐している。高濃度酸素は、図中の矢印で示すように、案内管１３１からカニューラ取付部１３２へと流れる。
【００２７】
カニューラ取付部１３２は、高濃度酸素を放出する放出口１３２ａを有する管状体であり、先端に行くに従って細くなるラッパ状の形状とされている。また、カニューラ取付部１３２の側面には、返し部１３３が形成されている。これにより、カニューラ取付部１３２は、カニューラ３００（図２、図３）を挿入し易く、かつ、カニューラ３００が抜けにくい形状とされている。
【００２８】
案内管１３１の外面には、凹部１３４、１３５が形成されており、この凹部１３４、１３５にトップケース１００の凸部が嵌合することにより、案内管１３１はトップケース１００に回転自在に取り付けられている。
【００２９】
酸素濃縮器１の使用者は、カニューラ取付部１３２にカニューラ３００を挿入して使用する。
【００３０】
図５は、酸素出口部１３０に、カニューラ３００が取り付けられた状態を示す断面図である。
【００３１】
カニューラ３００は、カニューラ取付部１３２に挿入される部分であるコネクタ３０１と、鼻プロング３０３（図７参照）へと繋がるチューブ３０２と、を有する。コネクタ３０１は、挿入方向である根本側が拡径された、いわゆる裾拡がりの形状を有する。また、コネクタ３０１は、チューブ３０２よりも硬質及び又は肉厚とされている。これにより、コネクタ３０１は、カニューラ取付部１３２に差し込まれたときに、カニューラ取付部１３２にしっかりと嵌着して、高濃度酸素を漏らさないようになっている。
【００３２】
このように、酸素濃縮器１では、カニューラ３００がカニューラ取付部１３２から容易に抜けることを防ぐ構造となっているものの、依然として、酸素濃縮器１の使用中にカニューラ３００のコネクタ３０１がカニューラ取付部１３２から外れてしまう事態が発生し得る。これは例えば、酸素濃縮器１の使用中に、カニューラ３００のチューブ３０２が何等かに引っ掛かってカニューラ３００に不用意な力が加わり、コネクタ３０１がカニューラ取付部１３２から離脱するようなケースである。このようにしてカニューラ３００が酸素濃縮器１から抜けてしまった場合、酸素濃縮器１で生成された高濃度酸素は、カニューラ取付部１３２から全て流出し、患者には供給されなくなる。
【００３３】
また、カニューラ３００がカニューラ取付部１３２の奥側までしっかり挿入されていないような場合には、カニューラ３００がカニューラ取付部１３２から抜けやすくなるのみならず、カニューラ取付部１３２とコネクタ３０１との間に隙間が生じやすくなる。このような隙間が生じると、酸素濃縮器１で生成された高濃度酸素は、隙間から漏れることにより、患者に供給される流量が減少する。
【００３４】
加えて、この実施の形態では、酸素濃縮器１により生成された高濃度酸素は、閉回路ではなく開回路を流れる構成であり、言い換えると生成される医療用ガスが一方的に供給される構成となっている。このため、装置内部すなわち空気取入部１０から酸素供給部５０までの高濃度酸素の漏れは装置内部の圧力センサで検知することができるが、カニューラ取付部１３２から患者に供給されるまでの流路中での高濃度酸素の漏れを圧力センサで検知することができない。
【００３５】
このような酸素漏れの問題に対処するために、流量を検知するセンサをカニューラ３００に設けることも考えられるが、消耗品であり頻繁に交換されるカニューラ３００にセンサを設けることは、コスト等の点で好ましくない。
【００３６】
他方、都市ガスやプロパンガスなどでは、ガス漏れを察知しやすくするために、かかるガス中に異臭を放つ成分を含ませているが、本実施の形態のように患者の体内に供給する医療用ガスの場合、このような構成とすることは出来ない。
【００３７】
また、酸素漏れの問題に対処するために、カニューラ取付部１３２の側面に孔を設け、かかる孔内に例えば鈴を取り付けて、カニューラ３００が抜けた場合に、放出口１３２ａから放出される高濃度酸素の流れを利用して鈴を鳴らす構成とすることも考えられる。しかしながら、このような構成の場合、機械の振動によっても鈴が鳴ってしまうため、カニューラ取付部１３２に対するカニューラ３００の位置ずれや離脱を正確に検出することができない。
【００３８】
このような実情に鑑みて、本実施の形態では、カニューラ取付部１３２に、放出口１３２ａから放出される高濃度酸素の流れを利用して吹鳴する吹鳴部１３６を設けている（図４および図５参照）。
【００３９】
図４および図５に示す例では、吹鳴部１３６は、カニューラ取付部１３２の側面に設けられた笛孔１３６Ａ，１３６Ｂである。各笛孔１３６Ａおよび１３６Ｂは、カニューラ取付部１３２の側部（外面および内面）を貫通するように形成されている。また、各笛孔１３６Ａおよび１３６Ｂは、図示のように、カニューラ取付部１３２の返し部１３３の部分から肉厚の大きい部位を貫通するように形成されている。
【００４０】
本実施の形態では、笛孔１３６Ａおよび１３６Ｂは、カニューラ取付部１３２の軸方向（高濃度酸素が流れる方向）に沿って配置されている。具体的には、笛孔１３６Ａは、カニューラ取付部１３２のより先端側に設けられ、笛孔１３６Ｂは、カニューラ取付部１３２のより基端（根元）側に設けられている。また、笛孔１３６Ａと笛孔１３６Ｂとでは、互いに異なる音程（周波数）で吹鳴するようになっている。
【００４１】
他の例として、笛孔１３６Ｂを笛孔１３６Ａと同様にカニューラ取付部１３２の先端側に設ける構成、或いは、笛孔１３６Ａを笛孔１３６Ｂと同様にカニューラ取付部１３２の基端（根元）側に設ける構成としてもよい。
【００４２】
本実施の形態では、吹鳴部１３６として２つの笛孔（１３６Ａ，１３６Ｂ）を設けた場合を例示しているが、笛孔の数は任意であり、１つ或いは３つ以上としてもよい。笛孔の形状やサイズも任意である。笛孔の形状として、例えば、中間部の径が細く絞られたオリフィス形状とすること（１３６Ａ）、カニューラ取付部１３２の外面側にカルマン渦を発生しやすくする形状とすること（１３６Ｂ）ができる。
【００４３】
なお、笛孔（１３６Ａ，１３６Ｂ）の形状やサイズは、特に制限されるものではなく、装置の流量すなわちカニューラ取付部１３２から流出される酸素の流速等に応じて適宜変更することができる。
【００４４】
図５に示すように、装置の使用状態においてカニューラ３００がカニューラ取付部１３２に装着されている場合、具体的にはカニューラ取付部１３２の根元付近までカニューラ３００のコネクタ３０１がしっかり取り付けられている状態では、吹鳴部１３６は吹鳴しない。すなわち、かかる装着状態では、カニューラ３００のコネクタ３０１の内面で笛孔１３６Ａが塞がれ、高濃度酸素は笛孔１３６Ａを通過できず、笛孔１３６Ａは吹鳴しない。他方、かかる装着状態では、根元側の笛孔１３６Ｂは、コネクタ３０１の内面で塞がれていないが、コネクタ３０１の内面で覆われている。かかる状態では、コネクタ３０１の内面と笛孔１３６Ｂとの間の空間が密閉されているため、高濃度酸素は笛孔１３６Ｂを持続的に通過できず、笛孔１３６Ｂは吹鳴しない。
【００４５】
図５に示す状態から、例えばカニューラ３００のチューブ３０２に不用意な力が加えられることにより、カニューラ３００が矢印ａ方向に引き抜かれてコネクタ３０１がカニューラ取付部１３２から離脱する場合を仮定する。この場合、図４に示すように、コネクタ３０１の離脱により吹鳴部１３６の端部が露呈され、案内管１３１からカニューラ取付部１３２の放出口１３２ａに流れる高濃度酸素が笛孔１３６Ａ，１３６Ｂを通過できる状態となり、吹鳴部１３６が吹鳴する。したがって、使用者等は、カニューラ３００がカニューラ取付部１３２から抜けたことを察知することができる。
【００４６】
また、本実施の形態では、カニューラ取付部１３２の軸方向に沿って複数の笛孔（１３６Ａ，１３６Ｂ）が配置されているので、カニューラ３００がカニューラ取付部１３２に対して完全に抜ける前の状態や中途半端に装着されている状態において笛孔１３６Ｂが吹鳴する。このため、高濃度酸素の漏れが生じやすい状態あるいは若干漏れている状態を察知することができる。加えて、笛孔１３６Ａおよび１３６Ｂは互いに異なる周波数で吹鳴するので、カニューラ３００がカニューラ取付部１３２に対してどの程度抜けているかを容易に察知することができる。
【００４７】
このように、酸素濃縮器１によれば、簡素で低コストな構成により、高濃度酸素の患者への供給状態やカニューラ取付部１３２に対するカニューラ３００の装着状態をチェックでき、放出口１３２ａからカニューラ等の装着具までの高濃度酸素の供給状態を容易に確認することが可能となる。
【００４８】
上述した実施の形態では、酸素濃縮器１にカニューラ３００が直接接続される構成について例示した。他の例として、酸素濃縮器１とカニューラ３００との間に、ウォータートラップやネブライザー、またはフィルター（例えばＣＯ２フィルター）などの、種々の中間装置が介在される構成であってもよい。
【００４９】
また、上述した実施の形態では、カニューラ取付部１３２が上下方向に回転可能な構成（図２，図３参照）について例示したが、カニューラ取付部１３２の回転方向は種々に変更することができる。例えば、図６に示す酸素濃縮器は、図中に両矢印で示すように、カニューラ取付部１３２が略水平方向に回転可能な構成であり、このような場合にも同様の効果が得られる。
【００５０】
すなわち、カニューラ取付部１３２が様々な方向に回転可能な構成とされることにより、カニューラ３００を装着した患者の動きや位置に追従してカニューラ取付部１３２が回転する。さらに、カニューラ３００に無理な力が掛かった場合に、チューブ３０２の折れ等により高濃度酸素が患者に供給されなくなる不具合が回避されるとともに、カニューラ取付部１３２からコネクタ３０１がずれることで、吹鳴部１３６が吹鳴する。したがって、使用者等は、カニューラ３００がカニューラ取付部１３２から抜けたことを察知することができる。
【００５１】
［３］アタッチメントの構成
図７に、酸素濃縮器１のカニューラ取付部１３２とカニューラ３００との間に介在されるアタッチメント４００の構成を示す。なお、図７Ａはカニューラ３００の鼻プロング３０３側を示し、図７Ｂは、アタッチメント４００を拡大して示している。以下、上述したカニューラ取付部１３２と同等の部分には同一の符号を付して、適宜その説明を省略する。
【００５２】
図７に示すアタッチメント４００は、中間部材４１０と、延長管取付部４１１と、カニューラ取付部４１２とが一体に形成された略筒状の部材である。
【００５３】
中間部材４１０は、略リング状であり、延長管取付部４１１およびカニューラ取付部４１２の内径と略同径の孔４１０ａを有する。
【００５４】
延長管取付部４１１は、酸素濃縮器１のカニューラ取付部１３２に取り付けられる延長管３５０に対して着脱される部位であり、上述した返し部１３３を備える。延長管３５０は、例えば管本体となるチューブ３５２の両端にコネクタ３５１が設けられ、コネクタ３５１の一方（図示略）が酸素濃縮器１のカニューラ取付部１３２に取り付けられ、コネクタ３５１の他方が延長管取付部４１１に取り付けられる。
【００５５】
カニューラ取付部４１２は、カニューラ３００のコネクタ３０１に対して着脱される部位であり、上述した返し部１３３および吹鳴部１３６（笛孔１３６Ａ，１３６Ｂ）を備える。
【００５６】
この例では、アタッチメント４００は、中間部材４１０から延長管取付部４１１とカニューラ取付部４１２とが互いに反対方向に延びる構成となっている。他の例として、中間部材４１０から延長管取付部４１１とカニューラ取付部４１２とがＬ字状に延びる構成としてもよい。
【００５７】
また、この例では、アタッチメント４００は、酸素濃縮器１のカニューラ取付部１３２に取り付けられる延長管３５０に対して着脱可能な構成となっているが、かかる延長管３５０と一体の構成であってもよい。
【００５８】
図７に示す状態から酸素濃縮器１が作動すると、酸素濃縮器１により生成された高濃度酸素は、延長管３５０を通じてガス入口４１１ａからアタッチメント４００内部に入り、ガス出口４１２ａからカニューラ３００に放出される。
【００５９】
かかる使用状態において、図７に示すように、カニューラ３００がアタッチメント４００のカニューラ取付部４１２に装着されている場合、具体的には中間部材４１０に突き当てられるまでカニューラ３００のコネクタ３０１がしっかり取り付けられている状態では、吹鳴部１３６は吹鳴しない。すなわち、かかる装着状態では、上述と同様に、高濃度酸素は吹鳴部１３６を通過できないため、笛孔１３６Ａ，１３６Ｂのいずれも吹鳴しない。
【００６０】
他方、図７に示す状態から、例えばカニューラ３００が矢印ａ方向に抜かれて笛孔１３６Ｂの端部が露呈されると、酸素濃縮器１からカニューラ取付部４１２の放出口１３２ａに流れる高濃度酸素が笛孔１３６Ｂを通過できる状態となり、笛穴１３６Ｂが吹鳴する。この場合、使用者等は、カニューラ３００がアタッチメント４００にしっかり挿入されていない状態であることを察知することができる。
【００６１】
さらに、カニューラ３００がカニューラ取付部１３２から引き抜かれると、笛孔１３６Ａの端部も露呈し、酸素濃縮器１からカニューラ取付部４１２の放出口１３２ａに流れる高濃度酸素が笛孔１３６Ａを通過できる状態となり、笛穴１３６Ｂおよび笛穴１３６Ａが吹鳴する。この場合、使用者等は、カニューラ３００がアタッチメント４００から抜けたことを察知することができる。
【００６２】
この実施の形態では、酸素濃縮器１とカニューラ３００との距離を延長する役割を有するアタッチメント４００の構成を例示した。アタッチメントの他の例として、ウォータートラップやネブライザー、またはフィルター（例えばＣＯ２フィルター）などの、種々の中間装置としての機能を備えたものとすることができる。
【００６３】
このように、上述した実施の形態によれば、簡素で低コストな構成により、高濃度酸素の患者への供給状態やカニューラ取付部に対するカニューラ３００の装着状態をチェックでき、酸素濃縮器１の酸素出口からカニューラ等の装着具までの高濃度酸素の供給状態を容易に確認できる。
【００６４】
上述した実施の形態では、ＰＳＡ方式を採用した酸素濃縮器を例示したが、他の方式（例えば酸素富化膜式）の酸素濃縮器であってもよい。
【００６５】
また、上述した実施の形態では、医療用ガス供給装置として酸素濃縮器を例示して説明したが、酸素濃縮器に限らず、液体酸素装置及び酸素ボンベ等、如何なるタイプの酸素供給装置であってもよい。さらには、医療用ガス供給装置として、酸素以外の他の医療用のガス（例えば麻酔用の亜酸化窒素（Ｎ２Ｏ）、人工呼吸療法用の空気など）を使用する各種の装置にも適用可能である。
【００６６】
また、上述した実施の形態では、笛孔をカニューラの管内面で覆うまたは塞ぐことにより吹鳴を停止させる構成としたが、笛孔をカニューラの管外面で塞ぐことにより吹鳴を停止させる構成としてもよい。
【００６７】
上述した実施の形態では、笛孔１３６Ａおよび笛孔１３６Ｂが、それぞれ可聴波すなわち人間の耳で聞こえる周波数帯域の音を発する場合を想定して説明した。他方、本明細書において「吹鳴」とは、可聴波の音を発する場合に限られず、可聴波（例えば２００００Ｈｚ）を超えた周波数の音（非可聴音）を発する場合も含まれる。このような非可聴音は、人間には聞こえなくても、マイクロホンなどで検出することができる。
【００６８】
この性質を利用して、例えば根元側の笛孔１３６Ｂで非可聴音を吹鳴する構成とし、かかる笛孔１３６Ｂから吹鳴される非可聴音を、マイクロホンなどの検出部で検出し、例えば別室（管理者側）のコンピュータでモニタリングするようにしてもよい。このような構成とすることで、例えば酸素濃縮器１を使用する患者の睡眠中にカニューラ３００がカニューラ取付部１３２から外れかけているような場合に、笛孔１３６Ａが可聴音で吹鳴する前の段階で、管理者がカニューラ３００の取付け状態を直すことができるようになる。したがって、可聴音が鳴ることで睡眠中の患者を起こす或いは驚かせるような事態を事前に防止し、患者に対してきめ細やかな看護を行うことが可能になる。
【００６９】
また、上述した実施の形態では、吹鳴部として笛孔を設ける構成を例示した。吹鳴部の他の構成として、例えば、カニューラ取付部の側部（内面および外面）を貫通する細長い孔を設け、かかる孔に対応した寸法のリードを設けて、放出されるガスによりリードを振動させて吹鳴する構成（すなわちハーモニカの構造）としてもよい。
【００７０】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００７１】
１  酸素濃縮器（医療用ガス供給装置）
１０  空気取入部
２０  空気圧縮部
３０  ＰＳＡ部（高濃度酸素生成部）
４０  酸素貯留部
５０  酸素供給部
１００  トップケース
１１０  取っ手
１２０  表示操作パネル
１３０  酸素出口部
１３１  案内管
１３２  カニューラ取付部（管取付部）
１３２ａ  放出口
１３３  返し部
１３４、１３５  凹部
１３６  吹鳴部  
１３６Ａ，１３６Ｂ  笛孔
２００  本体ケース
３００  カニューラ
３０１  コネクタ（管）
３０２  チューブ
３０３  鼻プロング
３５０  延長管
３５１  コネクタ
３５２  チューブ
４００  アタッチメント
４１０  中間部材
４１１  延長管取付部
４１１ａ  ガス入口
４１２  カニューラ取付部（管取付部）
４１２ａ  ガス出口
【図１】
2018130285.tif 000003
【図２】
2018130285.tif 000004
【図３】
2018130285.tif 000005
【図４】
2018130285.tif 000006
【図５】
2018130285.tif 000007
【図６】
2018130285.tif 000008
【図７】
2018130285.tif 000009